(57)【要約】【課題】            原稿圧着板を装置本体へ取り付けた後、メンテナンスの際に原稿圧着板を装置本体に対して９０°まで開いても、該原稿圧着板が自然落下してしまうのを防止できる上に、原稿圧着板を装置本体へ組み付け易くするように構成した原稿圧着板開閉装置を提供する。【解決手段】        装置本体側に取り付けられる取付部材と、原稿圧着板を支持するものであって、前記取付部材に対し回動可能に取り付けられた支持部材と、前記取付部材と前記支持部材との間に弾設された弾性手段とを有するものにおいて、前記取付部材と前記支持部材との間に、前記原稿圧着板のメンテナンス時開成角度において、或は前記原稿圧着板の閉成角度において、前記支持部材の回動を防止できる回動防止手段を設ける。【選択図】          図５
2006023325.tif 000002
【特許請求の範囲】
【請求項１】
装置本体側に取り付けられる取付部材と、原稿圧着板を支持するものであって、前記取付部材に対し回動可能に取り付けられた支持部材と、前記取付部材と前記支持部材との間に弾設された弾性手段とを有するものにおいて、前記取付部材と前記支持部材との間に、前記原稿圧着板のメンテナンス時開成角度において、前記支持部材の回動を防止する回動防止手段を設けたことを特徴とする、原稿圧着板開閉装置。
【請求項２】
装置本体側に取り付けられる取付部材と、原稿圧着板を支持するものであって、前記取付部材に対し回動可能に取り付けられた支持部材と、前記取付部材と前記支持部材との間に弾設された弾性手段とを有するものにおいて、前記取付部材と前記支持部材との間に、前記原稿圧着板が閉じられた状態において、前記支持部材の回動を防止する回動防止手段を設けたことを特徴とする、原稿圧着板開閉装置。
【請求項３】
前記回動防止手段が、前記原稿圧着板開閉装置に対し着脱可能に設けられ、前記支持部材を前記取付部材へ固定する固定ピンであることを特徴とする、請求項１及び２のいずれかに記載の原稿圧着板開閉装置。
【発明の詳細な説明】
【技術分野】
【０００１】
この発明は、例えば複写機や印刷機及びファクシミリ、スキャナーのような画像形成装置に用いて好適な、原稿圧着板開閉装置に関する。
【背景技術】
【０００２】
従来、原稿圧着板開閉装置の中には、下記した特許文献１に示されたように、原稿圧着板が０°から６０°〜７０°の使用開成角度までの間は回転トルクを発生させるが、６０°〜７０°から９０°の開成角度の間には、回転トルクを発生させないように構成したものが公知である。
【０００３】
【特許文献１】特開２０００−３１８６３号公開特許公報
【発明の開示】
【発明が解決しようとする課題】
【０００４】
上述した構成の原稿圧着板開閉装置においては、コンタクトガラスを外してのメンテナンス時において、原稿圧着板を６０°〜７０°から９０°まで開くことが作業上必要であり、実際にそのようなことが行われているが、作業中に原稿圧着板が倒れて来る場合があり、メンテナンス作業がしにくい上に、とくに原稿圧着板が原稿自動送り装置付きのもので重量のあるものであると、加速度を付けて急激に落下し、手や腕等を挟んでしまう恐れがあり、危険であるという問題があった。
【０００５】
さらに、従来公知のものは、原稿圧着板を装置本体へ組み付ける場合においては、取付部材と支持部材との間には弾性手段が作用しているため、該原稿圧着板が装置本体に対して開いた状態において組み付けることになるが、原稿圧着板が開いた状態のままであると、とくに原稿圧着板が重量のあるものの場合、この組付作業がしにくいという問題もあった。
【０００６】
この発明の目的は、原稿圧着板を装置本体へ取り付けた後、メンテナンスの際に原稿圧着板を装置本体に対して９０°まで開いても、該原稿圧着板が自然落下してしまうのを防止できる原稿圧着板開閉装置を提供せんとするにある。
【０００７】
この発明の次の目的は、原稿圧着板を装置本体へ組み付け易くするように構成した原稿圧着板開閉装置を提供せんとするにある。
【課題を解決するための手段】
【０００８】
上述した目的を達成するためにこの発明は、装置本体側に取り付けられる取付部材と、原稿圧着板を支持するものであって、前記取付部材に対し回動可能に取り付けられた支持部材と、前記取付部材と前記支持部材との間に弾設された弾性手段とを有するものにおいて、前記取付部材と前記支持部材との間に、前記原稿圧着板のメンテナンス時開成角度において、前記支持部材の回動を防止する回動防止手段を設けたことを特徴とする。
【０００９】
この発明はまた、装置本体側に取り付けられる取付部材と、原稿圧着板を支持するものであって、前記取付部材に対し回動可能に取り付けられた支持部材と、前記取付部材と前記支持部材との間に弾設された弾性手段とを有するものにおいて、前記取付部材と前記支持部材との間に、前記原稿圧着板が閉じられた状態において、前記支持部材の回動を防止する回動防止手段を設けたことを特徴とする。
【００１０】
この発明はさらに、上記いずれの場合においても、前記回動防止手段を、前記原稿圧着板開閉装置に対し着脱可能に設けられ、前記支持部材を前記取付部材へ固定する固定ピンとすることを特徴とする。
【発明の効果】
【００１１】
請求項１のように構成すると、原稿圧着板をメンテナンス時開成角度まで開いた状態において、回動防止手段により、支持部材を取付部材に固定できるので、メンテナンス時に原稿圧着板が倒れて来ることを確実に防止することができる。
【００１２】
請求項２のように構成すると、原稿圧着板を装置本体へ組み付ける際に、回動防止手段により、取付部材と支持部材を重ね合わせて固定できることから、原稿圧着板をコンタクトガラスに対し閉じた状態で装置本体へ組み付けることができるので、組付作業が行い易いという効果を奏し得る。
【００１３】
請求項３のように構成すると、支持部材の回動を防止するための付加物はないので、装置そのものをすっきりとしたものに構成することができるという効果を奏し得る。
【発明を実施するための最良の形態】
【００１４】
以下、この発明の原稿圧着板開閉装置を添付図面に基づいて詳述する。
【実施例１】
【００１５】
図１〜図３はこの発明の原稿圧着板開閉装置の一例を示す図である。この発明の原稿圧着板開閉装置１は、複写機、印刷機、ファクシミリ、スキャナー等の装置本体２に、その装置本体２の上面に対し、想像線で示した原稿圧着板３を開閉可能に取り付ける一種のヒンジ機構である。この発明の原稿圧着板開閉装置１は、図１〜図３に示すように、装置本体２の後部上端に取付釦部材６を介して着脱可能に取り付けられる取付部材４と、その取付部材４に第１ヒンジピン５を介して回動自在に連結され、原稿圧着板３を支える支持部材７と、この支持部材７と取付部材４との間に弾設された弾設手段２１と、前記支持部材７の自由端側に第２ヒンジピン８を介して回動自在に取り付けられ、原稿圧着板３の後端部を取り付けて成るリフト部材９から成る。支持部材７は、通常使用時、原稿圧着板３を装置本体２のコンタクトガラス１０上面に接触する０°の閉成位置から、６０°〜７０°の最大使用開成位置まで回動し、かつ、支持部材７が、メンテナンス時、さらに最大使用開成位置からメンテナンス時開成位置まで回動するものである。この発明の原稿圧着板開閉装置１の特徴は、支持部材７が、原稿圧着板３のメンテナンス時開成位置Ｃと閉成位置において、取付部材３に固定されて回動を防止される回動防止手段１１を設けたことにある。
【００１６】
取付部材４は、図１乃至図３に示すように、装置本体２に取り付けられる底板４１と、この底板４１の両側端部からそれぞれ底板４１に対して直交する方向（略直交する方向も含む）に延びる両側板４２と、底板４１の一端部（後端部）から該底板４１に対して直交する方向（略直交する方向も含む）に延びる略矩形状の後板４３と、から構成されている。底板４１は、平面略矩形状に形成され、取付釦部材６で装置本体２に取り付けるための、平面鍵穴形状の取付孔４４が設けられており、図面では取付釦部材６を介して装置本体２上に固定されている。両側板４２間には、カムピン１２が軸架されると共に、とくに図４に示したように、両側板４２に第１固定ピン孔１３がカムピン１２に対し平行に設けられている。
【００１７】
支持部材７は、とくに図２に示すように、上板７１と、この上板７１の両端部から垂下された両側板７２を有し、この両側板７２は上述したように、第１ヒンジピン５によって、取付部材４の両側板４２へ回動可能に軸着されている。両側板７２の自由端側には、第２ヒンジピン８を介してリフト部材９が回動可能に軸着されるとともに、後述する作動ピン１８が入り込むガイド溝７３が設けられている。そして、この支持部材７の両側板７２の第１ヒンジピン５側には、ストッパーピン１５が軸架されると共に、やや楕円形状の呈した第２固定ピン孔１４が設けられている。
【００１８】
指示記号１６のものは固定ピンであり、一端部側に向けたテーパー部１６aが設けられると共に、他端部側には図示してないＥリングを取り付けてある。尚、このＥリングは、これをワッシャー、鍔部、或は頭部に代えても良い。この固定ピン１６は、第１固定ピン孔１３と第２固定ピン孔１４の双方に挿入可能であり、第１固定ピン孔１３或は第２固定ピン孔１４、或は両第１固定ピン孔１３及び第２固定ピン孔１４と組み合わされて、この発明に係る回動防止手段１１を構成している。
【００１９】
リフト部材９は上板９１と、この上板９１の両端部からそれぞれ上板９１に対して直交する方向（略直交する方向も含む）に延びる両側板９２と、この両側板９２よりさらに外側へ折り曲げられた取付板９３とから成り、支持部材７を覆うように形成されている。リフト部材９が第２ヒンジピン８で軸着されていた側には、作動ピン１８が取り付けられると共に、取付板９３に原稿圧着板３が取り付けられる構成である。尚、上板９１に取り付けられている調節ネジ２３は、原稿圧着板３のコンタクトガラス１０に対する高さを微調整して、原稿圧着板３が均等にコンタクトガラス１０の上面へ圧着するようにするためのものである。さらに、原稿圧着板開閉装置１の構成によっては、このリフト部材９を設けない構成のものもあり、その場合には原稿圧着板３は支持部材７に取り付けられる。
【００２０】
支持部材７内には、一対の第１スライダー１９と第２スライダー２０が、その両側板７２より内側へ折り曲げられた抱持板７４によって抱えられることにより、摺動可能に収納されている。第１スライダー１９と第２スライダー２０は、断面矩形の有底筒体状に形成されている。一対の第１スライダー１９と第２スライダー２０は、互いの開口部が向き合うように支持部材７内にそれぞれ個別に摺動自在に収納されて、この一対の第１スライダー１９と第２スライダー２０内に圧縮コイルスプリングから成る弾性手段２１が設けられている。この弾性手段２１は、１個でも２個以上でもよく、例えば２個並列、或は重合して設けられ、一対の第１スライダー１９と第２スライダー２０をそれぞれ互いに離間する方向に付勢するものである。
【００２１】
第２ヒンジピン８側に位置している第２スライダー２０の底面である閉塞面２０ａの外表面は平坦面に形成されている。この閉塞面２０ａが弾性手段２１の付勢力によって作動ピン１８を押圧して、支持部材７とリフト部材９とが重なり合う方向へも力を及ぼすように構成されている。
【００２２】
もう一方の第１ヒンジピン５側に位置する第１スライダー１９の閉塞面の外表面の略中央部には、図２に示すように、カム部２２が設けられている。このカム部２２は、平坦部とこの平坦部から漸次傾斜された傾斜部を有している。
【００２３】
装置本体２の上面のコンタクトガラス１０面上に原稿圧着板３が圧着している状態（閉成位置（図１乃至図３参照））から、原稿圧着板３の手前側を手で持って持ち上げると、支持部材７が第１ヒンジピン５を支点に取付部材４に対して回動するので、第１スライダー１９のカム部２２が、カムピン１２に当接する箇所が、平坦部から傾斜部へと徐々に移動するので、第１スライダー１９がそれに伴って摺動し、弾性手段２１の圧縮コイルスプリングが徐々に伸びる。そして、原稿圧着板３が装置本体２の上面に対する最大使用開成位置になると、それ以上の開成角度においては、第１スライダー１９がストッパーピン１５と当接することによって、第１スライダー１９はカムピン１２より離れ弾性手段２１が作用しなくなる。
【００２４】
また、この発明の原稿圧着板開閉装置１は、厚さに関係なく原稿を装置本体２の上面に安定して圧着させることができる。
【００２５】
即ち、原稿が図４に示すように本のように厚さが厚い場合、このブック原稿２４をコンタクトガラス１０上へ載せて原稿圧着板３を下押しすると、共に回動するリフト部材９の両側板９２に取り付けた作動ピン１８によって第２スライダー２０押され、弾性手段２１の弾力に抗して第１スライダー１９側に移動すると共に、原稿圧着板３がリフト部材９と共に第２ヒンジピン８を軸に回動して、ブック原稿２４の上面を水平に覆うことになる。従って、この発明の原稿圧着板開閉装置１は、厚さに関係なく原稿を装置本体２の上面に安定して圧着させることができる。
【００２６】
次に、この発明に係る原稿圧着板開閉装置１の回動防止手段１１の使用例について説明する。原稿圧着板３を装置本体２のコンタクトガラス１０に対して閉じた閉成状態にすべく、取付部材４と支持部材７を弾性手段２１の弾力に抗して回動させ、取付部材４に設けた第１固定ピン孔１３と支持部材７に設けた第２固定ピン孔１４が重なり合ったところで、固定ピン１６を図２において想像線で示した位置から、各第１固定ピン孔１３と第２固定ピン孔１４へ挿入させると、図１乃至図３に実線で示したように、この固定ピン１６によって、取付部材４と支持部材７は互いに重なり合った状態で固定される。
【００２７】
この状態で原稿圧着板３を装置本体２上に移動させ、取付部材４の底板４１に設けた取付孔４４へ取付釦部材６の頭部６１をあてがって挿入させた後、原稿圧着板３全体を押すか、引いたりすると、取付釦部材６が取付部材４の底板４１と係合することにより、取付部材４は装置本体２へ仮り止めされるので、後は固定ピン１６を外して原稿圧着板３を開いて、取付釦部材６を締め付けたり、必要に応じてその他の取付ビス及びその他の固定手段を用いて取付部材４を装置本体２上へしっかりと固定することにより、原稿圧着板開閉装置１の装置本体２への組み付け作業が終了する。
【００２８】
次に、とくにコンタクトガラス１０を外しての装置本体２のメンテナンス時においては、原稿圧着板３を、図５に示したように、メンテナンス時使用角度（実施例では９０°）まで開いた後、固定ピン１６を取付部材４に設けた第１固定ピン孔１３へ挿入させてやると、支持部材７の両側板７２の端面が当該固定ピン１６に当接することによって、回動を阻止されることにより、原稿圧着板の自然落下を防止できる。メンテナンス終了後においては、固定ピン１６を第１ピン孔１３より抜き取ることにより、支持部材７の回動、しかして原稿圧着板３の閉成操作は可能となる。尚、原稿圧着板３の９０°以上の開成操作は、とくに図５に示したように、支持部材７の上板７１の裏側が、取付部材４の後板４３、或は両側板４２の後端部に当接することによって制限される構成である。
【００２９】
このようにこの発明によれば、原稿圧着板３の装置本体２への組付時には、原稿圧着板３をコンタクトガラス１０上へ閉成状態にする、支持部材７と取付部材４とが重なり合った状態において両者を固定させ、組付作業を容易にすると共に、装置本体２のメンテナンス時においては、原稿圧着板３をメンテナンス時開成角度に開いた状態において、原稿圧着板開閉装置１の支持部材７の回動を防止することにより、メンテナンス時に原稿圧着板３が落下することを防止することができるものである。
【産業上の利用可能性】
【００３０】
この発明は、とくに原稿自動送り装置付きの原稿圧着板のように、比較的重量のあるものに実施して好適な原稿圧着板開閉装置である。
【図面の簡単な説明】
【００３１】
【図１】この発明に係る原稿圧着板開閉装置の側面図である。
【図２】この発明に係る原稿圧着板開閉装置の背面図である。
【図３】この発明に係る原稿圧着板開閉装置の側断面図である。
【図４】この発明に係る原稿圧着板開閉装置の使用状態を説明する側面図である。
【図５】この発明に係る原稿圧着板開閉装置の使用状態を説明する側面図である。
【符号の説明】
【００３２】
１  原稿圧着板開閉装置
２  装置本体
３  原稿圧着板
４  取付部材
５  第１ヒンジピン
６  取付釦部材
７  支持部材
８  第２ヒンジピン
９  リフト部材
１０  コンタクトガラス
１１  回動防止手段
１２  カムピン
１３  第１固定ピン孔
１４  第２固定ピン孔
１５  ストッパーピン
１６  固定ピン
１８  作動ピン
１９  第１スライダー
２０  第２スライダー
２１  弾性手段
２２  カム部
２４  ブック原稿
４１  底板
４２  両側板
４４  取付孔
６１  頭部
７１  上板
７２  側板
７３  ガイド溝
９３  取付板
【図１】
2006023325.tif 000003
【図２】
2006023325.tif 000004
【図３】
2006023325.tif 000005
【図４】
2006023325.tif 000006
【図５】
2006023325.tif 000007